【事件の表示】
　平成　５年特許願第１２１０３５号「現像装置」拒絶査定不服審判事件〔平成　６年　２月１０日出願公開、特開平　６−　３５３１５〕について、次のとおり審決する。
【結　論】
　本件審判の請求は、成り立たない。
【理　由】
１．手続の経緯・本願発明
　本願は、平成５年５月２４日（パリ条約による優先権主張　１９９２年６月１日　米国）の出願であって、その請求項１に係る発明は、平成１３年５月１５日付け及び平成１３年１０月３日付け手続補正書によって補正された明細書及び図面の記載からみて、その特許請求の範囲の請求項１に記載された次のとおりのものである。（以下、「本願発明」という。）
「【請求項１】　受像部材に記録された潜像を現像するための装置であって、
　供給用の現像剤物質を放出するためのコンテナと、
　前記コンテナから放出された前記現像剤物質が移動させられる室を前記コンテナの外側に画定するように前記コンテナに隣接して設けられたハウジングと、
　前記コンテナから放出された前記現像剤物質を計量する手段と、
　前記ハウジングの前記室に少なくとも部分的に配置される、現像剤物質の計量された層を搬送するための手段と、
　受像部材に記録された潜像を現像するために、実質的に安定し均一な現像剤物質層を作り、前記搬送手段上で現像剤物質のかたまりが集積することを防止するために前記搬送手段上の現像剤物質の前記計量する手段によって計量された層を攪乱する手段であって、前記コンテナに隣接する前記ハウジング内に配置された前記攪乱する手段が、前記搬送手段上の前記現像剤物質の計量された層に接触するように外側へ延出する多数のファイバを有するブラシを含み、前記ブラシが前記現像剤物質の計量された層を穏やかに撹乱できるように前記ブラシが回転及び前記ブラシの回転軸に沿って実質的に平行移動可能とされた、前記現像剤物質の計量された層を攪乱する手段と、
　を含む現像装置。」
　
２．引用刊行物記載の発明
　これに対して、原査定の拒絶の理由に引用された刊行物１（特開昭６４−４６７７９号公報）、刊行物３［実願昭５３−１５２９５５号（実開昭５５−７１３５２号）のマイクロフィルム］には、次のような技術事項が図面と共に記載されている。
［刊行物１］
ａ）電子写真複写機、およびプリンターなど電子写真方式を用いた画像の作成においては、静電潜像の形成された感光体などの静電潜像担持体に現像装置を用いて帯電トナーを供給し、得られたトナー像を紙などに転写、定着する方法がとられる。（第１頁左下欄第１９行〜右下欄第３行参照）
ｂ）すなわち、本発明は静電潜像担持体にトナーを供給する移動表面を備えたトナー担持体、該トナー担持体表面に摺接しトナーの帯電層厚規制を行う層厚規制部材、並びに前記トナー担持体に近接して設けられ前記層厚規制部材により形成されたトナー薄層を均一化する磁気ローラーを有することを特徴とする現像装置を提供するものである。（第２頁左上欄第１０行〜同欄第１６行参照）
ｃ）第１図は本発明の現像装置１を示す断面図である。現像装置１は矢印ａ方向に回転駆動する感光体１００に隣接して配置される。該現像装置１は周長の僅かに長い筒状のニッケル電鋳膜（４０μｍ）からなる薄膜部材２を外装した現像ローラー３、該現像ローラー３の両端に配置された一対のガイド部材４、トナーの薄膜規制を行う規制ブレード５、規制ブレード５と現像領域Ｘとの間の現像ローラー３近接域に設けられた磁気ローラー１３、現像領域の後方にて薄膜部材に摺接するイレーサー８、並びにこれらを収容しトナーを貯溜するケーシング９を有する。磁気ローラー１３は、円筒状のマグネットブラシスリーブ７およびその内部に固定された磁石６を有する。スリーブ７は、その周囲に必要量の２成分現像キャリアおよびトナーを保持しており現像ローラーに対し非接触状態で回転する。なお、ケーシング９には、トナー貯槽１０が設けられる。該トナー貯槽１０には各々矢印ｃおよびｄ方向に回転するトナー供給羽根１１およびアジテータ１２が設けられ、内部に貯溜されたトナーＴｏのブロッキングを防止しつつトナーを移動させる。（第２頁右上欄第５行〜左下欄第７行参照）
ｄ）つぎに、現像領域Ｘにて薄膜部材２上に残留したトナーＴｏは引き続き薄膜部材２と共に矢印ｂ方向に搬送され、イレーサ６との間を通過する際に、現像領域Ｘで消費されたトナーＴｏの消費パターンが消去されて、表面残留トナー層の均一化が図られる。（第４頁左上欄第１行〜同欄第６行参照）
　
　以上の記載を対比のためにまとめると、
ア）摘記事項ａ）やｂ）の記載からみて、静電潜像担持体に記録された潜像を現像するための現像装置であり、
イ）摘記事項ｃ）の記載からみて、ケーシング９に設けられたトナー貯槽１０はその中でトナーが移動させられるということができ、
ウ）トナー担持体３はトナー貯層１０内に少なくとも部分的に配置されているということができ、
　以上のことから刊行物１には、次のような発明が図面と共に記載されている。
　
「静電潜像担持体に記録された潜像を現像するための装置であって、トナーが移動させられるトナー貯槽１０が設けられたハウジング９と、トナー担持体（あるいは現像ローラ３）上のトナーの帯電層厚規制を行う層厚規制部材（あるいは層厚規制ブレード５）と、ハウジング９のトナー貯槽１０に少なくとも部分的に配置され、帯電層厚規制されたトナー薄層を担持するトナー担持体３と、層厚規制部材により形成されたトナー薄層を均一化する磁気ローラ１３と、現像位置の下流側に配置され、トナー担持体３上の表面残留トナー層の均一化を図るイレーサ６と、を含む現像装置。」
　
［刊行物３］
ｇ）この考案は、現像後の現像ローラー上のトナーを、ホッパー内に設けたブラシ部材によって掻き乱すことを特徴とする。これにより、現像後のトナーの消費の不均衡が一掃され、新たに形成された均一なトナー層により現像が行なわれる。（マイクロフィルム第２頁第２０行〜第３頁第４行参照）
ｈ）第１図に示す実施例において、現像ローラー１は、体積抵抗約１０5Ω・ｃｍの導電性ゴムローラーが使用される。このゴムローラー１の上部には、下部に供給口を有するホッパー２が配置されており、その内部に一成分系高抵抗非磁性トナー３が収容されている。このトナー３は、二成分系現像剤に用いられるトナーと同様な、樹脂と顔料とからなる体積抵抗１０14Ω・ｃｍ以上の通常のトナーである。このホッパーの中にはまた、ブラシ部材４が、そのブラシ部を現像ローラー１の表面に圧接させて回転可能に設けられている。このブラシ部材４は、上記したように、現像後の現像ローラー上のトナー層を掻き乱すばかりでなく、ホッパー内のトナーを静電潜像とは逆極性に摩擦帯電させる作用もするので、そのブラシ部の材質はトナーに対して特定される。（マイクロフィルム第３頁第１７行〜第４頁第１２行参照）
ｉ）この考案において、ブラシ部材の形状は限定されるものではない。またブラシ部材を、第１図に示すような回転運動に加えて、または単独でその軸方向に往復運動させてもよい。（マイクロフィルム第７頁第１７行〜２０行参照）
　
３．対比
　本願発明を刊行物１記載の発明と対比すると、
ア）刊行物１記載の発明の「静電潜像担持体」、「トナー」、「トナー貯層１０」、「帯電層厚規制されたトナー薄層」、「トナーの帯電層厚規制を行う層厚規制部材５」、「現像剤物質を計量する手段」、「トナー担持体３」は、それぞれ本願発明の「受像部材」、「現像剤物質」、「トナーが移動させられる室」、「現像剤物質の計量された層」、「搬送手段」に相当し、
イ）刊行物１記載の発明の「現像ローラ３上の表面残留トナー層の均一化を図るイレーサ６」は、摘記事項ｄの記載からみて、搬送手段上の現像剤物質の計量する手段によって計量された層に接触して撹乱するものであるから、本願発明の「搬送手段上の現像剤物質の計量する手段によって計量された層接触して攪乱する手段」に相当し、
ウ）刊行物１記載の発明において、磁気ローラ１３は特徴点ではあるが追加的な構成であるから、磁気ローラ１３を備えていない発明としても認識することができ、
　以上のことから、両者間には次のような一致点、相違点がある。
（一致点）
　受像部材に記録された潜像を現像するための装置であって、
現像剤物質が移動させられる室が設けられたハウジングと、現像剤物質を計量する手段と、ハウジングの前記室に少なくとも部分的に配置される、現像剤物質の計量された層を搬送するための手段と、
　ハウジング内に配置され、搬送手段上の現像剤物質の計量する手段によって計量された層に接触して攪乱する手段と、を含む現像装置。
（相違点１）
　本願発明は、供給用の現像剤物質を放出するためのコンテナを含むとともに、ハウジングが、コンテナから放出された現像剤物質が移動させられる室をコンテナの外側に画定するようにコンテナに隣接して設けられているのに対して、刊行物１記載の発明はコンテナについて言及がないし、コンテナとハウジングとの関係についても言及がない点
（相違点２）
　撹乱する手段が、本願発明では搬送手段上の現像剤物質の計量された層に接触するように外側へ延出する多数のファイバを有するブラシを含み、ブラシが現像剤物質の計量された層を穏やかに撹乱できるようにブラシが回転及びブラシの回転軸に沿って実質的に平行移動可能とされたものであって、受像部材に記録された潜像を現像するために、実質的に安定し均一な現像剤物質層を作り、記搬送手段上で現像剤物質のかたまりが集積することを防止するものであるのに対して、刊行物１記載の発明では、固定のパッドのようなイレーサー６が図示されていて、表面残留トナー層の均一化を図るためのものとある点
　
４．当審の判断
　相違点１については、供給用の現像剤物質を放出するためのコンテナと、コンテナに隣接して設けられ、コンテナから放出された現像剤物質が移動させられる室をコンテナの外側に画定するハウジングと、コンテナから放出された現像剤物質を計量する手段を有する現像装置は周知であり［実願昭６１−１８９６０３号（実開昭６３−９４４５１号）のマイクロフィルム（第１ホッパ１３、第２ホッパ１６、磁性ブレード１２参照）、実願昭６３−５２１２１号（実開平１−１５７３５６号）のマイクロフィルム（ハウジング２、トナーボックス５、ブレード９参照）、特開昭６２−１７０９８７号公報（現像部３ａ、現像供給部３ｂ内の現像剤カートリッジ７、規制部材１１参照）］、刊行物１記載の発明の現像装置をこのような周知の構成を有する現像装置とすることは当業者が容易に考えつくことができた構成の変更であるし、本願発明において、現像装置をコンテナとコンテナに隣接して現像剤物質が移動させられる室をコンテナの外側に画定するハウジングを設けた構成としたことによって格別の技術的意義を有するものでもない。
　相違点２については、刊行物３に現像後の現像ローラ上のトナー層を掻き乱す手段として、ローラー状であって回転及びブラシの回転軸に沿って実質的に平行移動可能とされたブラシ部材４が記載されており、これは本願発明の「搬送手段上の現像剤物質の計量された層に接触するように外側へ延出する多数のファイバを有するブラシであって、ブラシが回転及びブラシの回転軸に沿って実質的に平行移動可能とされたブラシ」に相当するものであり、このブラシは現像後の搬送手段上の現像剤物質の計量された層を撹乱する点で刊行物１のイレーサ６と共通する機能を有するものであるから、刊行物１記載の発明のイレーサー６に変えて、刊行物３に記載されているようなブラシを採用することは当業者ならば容易に考えつくことができたことである。　そして、このようなブラシを採用すればその属性として、現像剤物質の計量された層を穏やかに撹乱し、その結果受像部材に記録された潜像を現像するために、実質的に安定し均一な現像剤物質層を作り、搬送手段上で現像剤物質のかたまりが集積することを防止するという作用効果を奏する。
　
５．むすび
　以上のことから、本願発明は刊行物１及び刊行物３記載の発明及び周知技術に基づいて、当業者が容易に発明をすることができたものであり、特許法第２９条第２項の規定により特許を受けることができない。
　よって、結論のとおり審決する。